(57)【要約】【課題】十分なフィット性が得られる捕球具を提供する。【解決手段】本発明に係る捕球具１００は、捕球具本体１と、捕球具本体の背面部１１に設けられ、手の甲を支持するための手甲パッド２と、始端３１が捕球具本体の平裏部１２に取り付けられ、終端３２が捕球具本体の背面部又は手甲パッドに取り付けられたベルト３とを備える。ベルトの始端は、背面視において、捕球具本体の人指し指袋１３の親指袋側の側面に沿って捕球具本体の手挿入口１４側に延びる仮想直線Ｌの近傍に位置する。手甲パッドは、背面視において、ベルトの始端の位置よりも捕球具本体の小指袋側に位置する箇所に形成された第１貫通孔２１を具備する。ベルトが前面側から背面側に向けて第１貫通孔に貫通した状態で、ベルトの終端が捕球具本体の背面部又は手甲パッドに位置調整可能に取り付けられている。【選択図】図１
2018089218.tif 000002
【特許請求の範囲】
【請求項１】
捕球具本体と、
前記捕球具本体の背面部に設けられ、手の甲を支持するための手甲パッドと、
始端が前記捕球具本体の平裏部に取り付けられ、終端が前記捕球具本体の背面部又は前記手甲パッドに取り付けられたベルトとを備え、
前記ベルトの始端は、背面視において、前記捕球具本体の人指し指袋の親指袋側の側面に沿って前記捕球具本体の手挿入口側に延びる仮想直線の近傍に位置し、
前記手甲パッドは、背面視において、前記ベルトの始端の位置よりも前記捕球具本体の小指袋側に位置する箇所に形成された第１貫通孔を具備し、
前記ベルトが前面側から背面側に向けて前記第１貫通孔に貫通した状態で、前記ベルトの終端が前記捕球具本体の背面部又は前記手甲パッドに位置調整可能に取り付けられている、
ことを特徴とする捕球具。
【請求項２】
前記手甲パッドは、背面視において、前記第１貫通孔の位置よりも前記小指袋側に位置する箇所に形成された第１開口部と、該第１開口部の位置よりも前記小指袋側に位置する箇所に形成された第２開口部とを更に具備し、
前記ベルトが前面側から背面側に向けて前記第１貫通孔に貫通し、前記ベルトが背面側から前記第１開口部を介して前記手甲パッドの内部に挿通し、なお且つ前記ベルトが前記手甲パッドの内部から外部に向けて前記第２開口部に挿通する状態で、前記ベルトの終端が前記捕球具本体の背面部又は前記手甲パッドに位置調整可能に取り付けられている、
ことを特徴とする請求項１に記載の捕球具。
【請求項３】
前記捕球具本体の前記背面部の小指袋側部位と前記手甲パッドの小指袋側部位とは、互いに分離しており、
前記背面部の小指袋側部位は、第２貫通孔を具備し、
前記ベルトが前面側から背面側に向けて前記第１貫通孔に貫通し、なお且つ前記ベルトが前面側から背面側に向けて前記第２貫通孔に貫通した状態で、前記ベルトの終端が前記捕球具本体の背面部又は前記手甲パッドに位置調整可能に取り付けられている、
ことを特徴とする請求項１又は２に記載の捕球具。
【請求項４】
前記手甲パッドは、背面視において、前記第１貫通孔の位置よりも前記手挿入口側に位置する箇所に形成された第３開口部及び第４開口部を更に具備し、
前記第４開口部は、背面視において、前記第３開口部の位置よりも前記親指袋側に位置する箇所に形成されており、
前記ベルトが前面側から背面側に向けて前記第２貫通孔を貫通して前記親指袋側に折り返し、前記ベルトが背面側から前記第３開口部を介して前記手甲パッドの内部に挿通し、なお且つ前記ベルトが前記手甲パッドの内部から外部に向けて前記第４開口部に挿通する状態で、前記ベルトの終端が前記捕球具本体の背面部又は前記手甲パッドに位置調整可能に取り付けられている、
ことを特徴とする請求項３に記載の捕球具。
【請求項５】
前記ベルトは、前記ベルトの始端から前記第１貫通孔に至るまでの間の部分に、前記第１貫通孔に貫通する前記ベルトの部位の幅よりも幅の広い幅広部を有する、
ことを特徴とする請求項１から４の何れかに記載の捕球具。
【請求項６】
捕球具本体と、
前記捕球具本体の背面部に設けられ、手の甲を支持するための手甲パッドと、
始端が前記捕球具本体の平裏部に取り付けられ、終端が前記捕球具本体の背面部又は前記手甲パッドに取り付けられたベルトとを備え、
前記捕球具本体の前記背面部の親指袋側部位と前記手甲パッドの親指袋側部位とは、互いに分離しており、
前記ベルトの始端は、背面視において、前記捕球具本体の人指し指袋の親指袋側の側面に沿って前記捕球具本体の手挿入口側に延びる仮想直線の近傍に位置し、
前記手甲パッドは、背面視において、前記ベルトの始端の位置よりも前記捕球具本体の小指袋側に位置する箇所に形成された第１開口部と、該第１開口部の位置よりも前記小指袋側に位置する箇所に形成された第２開口部とを具備し、
前記ベルトが前記手甲パッドの親指袋側部位の親指袋側の側縁を前面側から背面側に向けて迂回し、前記ベルトが背面側から前記第１開口部を介して前記手甲パッドの内部に挿通し、なお且つ前記ベルトが手甲パッドの内部から外部に向けて前記第２開口部に挿通する状態で、前記ベルトの終端が前記捕球具本体の背面部又は前記手甲パッドに位置調整可能に取り付けられている、
ことを特徴とする捕球具。
【請求項７】
前記ベルトは、前記ベルトの始端から前記手甲パッドの親指袋側部位の親指袋側の側縁に至るまでの間の部分に、前記第１開口部及び前記第２開口部に挿通する前記ベルトの部位の幅よりも幅の広い幅広部を有する、
ことを特徴とする請求項６に記載の捕球具。
【請求項８】
前記ベルトは、表面及び該表面よりも摩擦係数の大きな裏面を有する革製のベルト部材同士が、各ベルト部材の裏面が対向するように積層されて形成されている、
ことを特徴とする請求項１から７の何れかに記載の捕球具。
【請求項９】
捕球具本体と、
前記捕球具本体の背面部に設けられ、手の甲を支持するための手甲パッドとを備え、
前記手甲パッドは、手甲パッド本体と、該手甲パッド本体の親指袋側部位から延在して先端が前記捕球具本体の平裏部に取り付けられた第１ベルト部と、該手甲パッド本体の小指袋側部位から延在して先端が前記捕球具本体の背面部又は前記手甲パッド本体に取り付けられた第２ベルト部とを具備し、
前記捕球具本体の前記背面部の親指袋側部位と前記手甲パッド本体の親指袋側部位とが互いに分離すると共に、前記捕球具本体の前記背面部の小指袋側部位と前記手甲パッド本体の小指袋側部位とが互いに分離しており、
前記背面部の小指袋側部位は、貫通孔を具備し、
前記第１ベルト部の先端は、背面視において、前記捕球具本体の人指し指袋の親指袋側の側面に沿って前記捕球具本体の手挿入口側に延びる仮想直線の近傍に位置し、
前記第２ベルト部が前面側から背面側に向けて前記貫通孔に貫通した状態で、前記第２ベルト部の先端が前記捕球具本体の背面部又は前記手甲パッド本体に位置調整可能に取り付けられている、
ことを特徴とする捕球具。
【請求項１０】
前記第１ベルト部は、前記貫通孔に貫通する前記第２ベルト部の部位の幅よりも幅の広い幅広部を有する、
ことを特徴とする請求項９に記載の捕球具。
【請求項１１】
前記第２ベルト部は、表面及び該表面よりも摩擦係数の大きな裏面を有する革製のベルト部材同士が、各ベルト部材の裏面が対向するように積層されて形成されている、
ことを特徴とする請求項９又は１０に記載の捕球具。
【請求項１２】
前記捕球具本体の前記親指袋の根元側に設けられ、親指を固定するための帯状の親指掛けを更に備え、
前記親指掛けは、始端が前記平裏部に取り付けられ、終端側の部位が前記平裏部を往復貫通している、
ことを特徴とする請求項１から１１の何れかに記載の捕球具。
【発明の詳細な説明】
【技術分野】
【０００１】
本発明は、野球やソフトボール用の捕球具に関する。
【背景技術】
【０００２】
従来、手から捕球具に対するスムーズな力の伝達を可能にするため、捕球具に対する手のフィット性の向上を目的とした種々の捕球具が提案されている（例えば、特許文献１〜５参照）。
【０００３】
しかしながら、従来提案されている捕球具は、必ずしもフィット性を十分に向上させることができるものではなかった。
【先行技術文献】
【特許文献】
【０００４】
【特許文献１】特開２００３−１２６３２４号公報
【特許文献２】特開平１０−２１１３１０号公報
【特許文献３】特許第２９１１８６３号公報
【特許文献４】実開平６−５６６８号公報
【特許文献５】特開２００７−２４４７１７号公報
【発明の概要】
【発明が解決しようとする課題】
【０００５】
本発明は、上記従来技術の問題点を解決するべくなされたものであり、十分なフィット性が得られる捕球具を提供することを課題とする。
【課題を解決するための手段】
【０００６】
前記課題を解決するため、本発明は、第１手段として、捕球具本体と、前記捕球具本体の背面部に設けられ、手の甲を支持するための手甲パッドと、始端が前記捕球具本体の平裏部に取り付けられ、終端が前記捕球具本体の背面部又は前記手甲パッドに取り付けられたベルトとを備え、前記ベルトの始端は、背面視において、前記捕球具本体の人指し指袋の親指袋側の側面に沿って前記捕球具本体の手挿入口側に延びる仮想直線の近傍に位置し、前記手甲パッドは、背面視において、前記ベルトの始端の位置よりも前記捕球具本体の小指袋側に位置する箇所に形成された第１貫通孔を具備し、前記ベルトが前面側から背面側に向けて前記第１貫通孔に貫通した状態で、前記ベルトの終端が前記捕球具本体の背面部又は前記手甲パッドに位置調整可能に取り付けられている、ことを特徴とする捕球具を提供する。
【０００７】
本発明の第１手段に係る捕球具は、従来の一般的な捕球具と同様に、ボールが接触する捕球面部、捕球面部よりも手の甲側に配置され、掌が接触する平裏部、平裏部よりも手の甲側に配置された背面部、平裏部と背面部との間に形成された指袋（親指袋、人差し指袋、中指袋、薬指袋、小指袋）、及び背面部と平裏部とで区画される手挿入口を具備する捕球具本体と、手の甲を支持するための手甲パッドとを備える。
更に、本発明の第１手段に係る捕球具は、始端が捕球具本体の平裏部に取り付けられ、終端が捕球具本体の背面部又は手甲パッドに取り付けられたベルトを備える。このベルトの始端は、背面視において（捕球具本体の背面部に対向する方向から見た場合）、捕球具本体の人差し指袋の親指袋側の側面に沿って捕球具本体の手挿入口側に延びる仮想直線の近傍に位置する。このため、捕球具本体の手挿入口から手を挿入した際、ベルトの始端近傍の部位が人差し指の親指側の側面と接触し易くなる。
また、手甲パッドは、背面視において、ベルトの始端の位置よりも捕球具本体の小指袋側に位置する箇所に形成された第１貫通孔を具備し、ベルトが前面側（捕球具本体の捕球面部に近い側）から背面側（前面側と反対側）に向けて第１貫通孔に貫通した状態で、ベルトの終端が位置調整可能に取り付けられている。このため、ベルトの終端位置を調整する（例えば、始端に対して引っ張る方向の位置に移動させる）ことで、人差し指の大きさに関わらず、ベルトの始端近傍の部位が人差し指の親指側の側面と接触し、なお且つ、ベルトの始端と手甲パッドの第１貫通孔との間に位置するベルトの部位によって、人差し指及びその周辺の掌の部位を平裏部に押し付ける力が生じることになる。したがい、人差し指及びその周辺の掌の部位を主として十分なフィット性を得ることが可能である。
【０００８】
なお、本発明の第１手段の手甲パッドは捕球具本体の背面部に設けられているが、これには、手甲パッドの少なくとも一部の部位が背面部と分離していて、この分離している部位がベルト等によって背面部と連結されている形態と、手甲パッドと背面部とが一体的に設けられている（手甲パッドと背面部とが分離していない同一の部材から形成されている）形態との双方を含む。
また、本発明の第１手段における「捕球具本体の人指し指袋の親指袋側の側面に沿って前記捕球具本体の手挿入口側に延びる仮想直線の近傍に位置」するとは、仮想直線上に位置する場合に限るものではなく、仮想直線上の位置から人差し指袋の幅の１／２の寸法だけ小指袋側にズレた位置から、仮想直線上の位置から人差し指袋の幅の１／２の寸法だけ親指袋側にズレた位置までの範囲に位置することを意味する。
【０００９】
本発明の第１手段に係る捕球具において、好ましくは、前記手甲パッドは、背面視において、前記第１貫通孔の位置よりも前記小指袋側に位置する箇所に形成された第１開口部と、該第１開口部の位置よりも前記小指袋側に位置する箇所に形成された第２開口部とを更に具備し、前記ベルトが前面側から背面側に向けて前記第１貫通孔に貫通し、前記ベルトが背面側から前記第１開口部を介して前記手甲パッドの内部に挿通し、なお且つ前記ベルトが前記手甲パッドの内部から外部に向けて前記第２開口部に挿通する状態で、前記ベルトの終端が前記捕球具本体の背面部又は前記手甲パッドに位置調整可能に取り付けられている。
【００１０】
上記の好ましい構成によれば、第１開口部から第２開口部までの間において、ベルトが手甲パッドの内部に挿通するので、ベルトの終端位置を調整する（例えば、始端に対して引っ張る方向の位置に移動させる）ことで、ベルトが手甲パッドを前面側に押し付けることになる。同様に、第１貫通孔から第１開口部までの間において、ベルトが手甲パッドの背面側に位置するので、ベルトの終端位置を調整する（例えば、始端に対して引っ張る方向の位置に移動させる）ことで、ベルトが手甲パッドを前面側に押し付けることになる。このため、手甲パッドが手の甲に押し付けられる力が高まり、より一層十分なフィット性を得ることが可能である。
【００１１】
本発明の第１手段に係る捕球具において、好ましくは、前記捕球具本体の前記背面部の小指袋側部位と前記手甲パッドの小指袋側部位とは、互いに分離しており、前記背面部の小指袋側部位は、第２貫通孔を具備し、前記ベルトが前面側から背面側に向けて前記第１貫通孔に貫通し、なお且つ前記ベルトが前面側から背面側に向けて前記第２貫通孔に貫通した状態で、前記ベルトの終端が前記捕球具本体の背面部又は前記手甲パッドに位置調整可能に取り付けられている。
【００１２】
上記の好ましい構成によれば、捕球具本体の背面部の小指袋側部位と、手甲パッドの小指袋側部位とが互いに分離しているため、ベルトの終端位置を調整する（例えば、始端に対して引っ張る方向の位置に移動させる）ことでフィット性を高めた状態であっても、捕球具本体を閉じ易い（捕球面部側へ屈曲させ易い）という利点が得られる。また、捕球具本体の背面部の小指袋側部位と手甲パッドの小指袋側部位とが、第１貫通孔及び第２貫通孔の双方に貫通するベルトによって連結されるため、両部位が過度に離れるおそれもない。
【００１３】
本発明の第１手段に係る捕球具において、好ましくは、前記手甲パッドは、背面視において、前記第１貫通孔の位置よりも前記手挿入口側に位置する箇所に形成された第３開口部及び第４開口部を更に具備し、前記第４開口部は、背面視において、前記第３開口部の位置よりも前記親指袋側に位置する箇所に形成されており、前記ベルトが前面側から背面側に向けて前記第２貫通孔を貫通して前記親指袋側に折り返し、前記ベルトが背面側から前記第３開口部を介して前記手甲パッドの内部に挿通し、なお且つ前記ベルトが前記手甲パッドの内部から外部に向けて前記第４開口部に挿通する状態で、前記ベルトの終端が前記捕球具本体の背面部又は前記手甲パッドに位置調整可能に取り付けられている。
【００１４】
上記の好ましい構成によれば、第３開口部から第４開口部までの間において、ベルトが手甲パッドの内部に挿通するので、ベルトの終端位置を調整する（例えば、始端に対して引っ張る方向の位置に移動させる）ことで、ベルトが手甲パッドを前面側に押し付けることになる。同様に、第２貫通孔から第３開口部までの間において、ベルトが手甲パッドの背面側に位置するので、ベルトの終端位置を調整する（例えば、始端に対して引っ張る方向の位置に移動させる）ことで、ベルトが手甲パッドを前面側に押し付けることになる。そして、第３開口部及び第４開口部は、第１貫通孔の位置よりも手挿入口側に位置する箇所に形成されているため、手甲パッドが手の甲の手首寄りの部位に押し付けられる力が高まり、より一層十分なフィット性を得ることが可能である。
【００１５】
本発明の第１手段に係る捕球具において、好ましくは、前記ベルトは、前記ベルトの始端から前記第１貫通孔に至るまでの間の部分に、前記第１貫通孔に貫通する前記ベルトの部位の幅よりも幅の広い幅広部を有する。
【００１６】
上記の好ましい構成によれば、ベルトの始端から前記第１貫通孔に至るまでの間の部分に幅の広い幅広部をベルトが有するため、このベルトの幅広部が人差し指と接触することで、人差し指及びその周辺の掌の部位を平裏部に押し付ける力を高めることができると共に、第１貫通孔に貫通するベルトの部位の幅が狭いため、ベルトと手甲パッドとの摩擦が低減され、ベルトの終端位置を調整し易くなるという利点を有する。
【００１７】
また、前記課題を解決するため、本発明は、第２手段として、捕球具本体と、前記捕球具本体の背面部に設けられ、手の甲を支持するための手甲パッドと、始端が前記捕球具本体の平裏部に取り付けられ、終端が前記捕球具本体の背面部又は前記手甲パッドに取り付けられたベルトとを備え、前記捕球具本体の前記背面部の親指袋側部位と前記手甲パッドの親指袋側部位とは、互いに分離しており、前記ベルトの始端は、背面視において、前記捕球具本体の人指し指袋の親指袋側の側面に沿って前記捕球具本体の手挿入口側に延びる仮想直線の近傍に位置し、前記手甲パッドは、背面視において、前記ベルトの始端の位置よりも前記捕球具本体の小指袋側に位置する箇所に形成された第１開口部と、該第１開口部の位置よりも前記小指袋側に位置する箇所に形成された第２開口部とを具備し、前記ベルトが前記手甲パッドの親指袋側部位の親指袋側の側縁を前面側から背面側に向けて迂回し、前記ベルトが背面側から前記第１開口部を介して前記手甲パッドの内部に挿通し、なお且つ前記ベルトが手甲パッドの内部から外部に向けて前記第２開口部に挿通する状態で、前記ベルトの終端が前記捕球具本体の背面部又は前記手甲パッドに位置調整可能に取り付けられている、ことを特徴とする捕球具を提供する。
【００１８】
本発明の第２手段に係る捕球具も、第１手段に係る捕球具と同様に、始端が捕球具本体の平裏部に取り付けられ、終端が捕球具本体の背面部又は手甲パッドに取り付けられたベルトを備える。このベルトの始端は、背面視において、捕球具本体の人差し指袋の親指袋側の側面に沿って捕球具本体の手挿入口側に延びる仮想直線の近傍に位置する。このため、捕球具本体の手挿入口から手を挿入した際、ベルトの始端近傍の部位が人差し指の親指側の側面と接触し易くなる。
また、手甲パッドは、背面視において、ベルトの始端の位置よりも捕球具本体の小指袋側に位置する箇所に形成された第１開口部と、該第１開口部の位置よりも小指袋側に位置する箇所に形成された第２開口部とを具備し、ベルトが手甲パッドの親指袋側部位の親指袋側の側縁を前面側から背面側に向けて迂回し、ベルトが背面側から第１開口部を介して手甲パッドの内部に挿通し、なお且つベルトが手甲パッドの内部から外部に向けて第２開口部に挿通する状態で、ベルトの終端が位置調整可能に取り付けられている。このため、ベルトの終端位置を調整する（例えば、始端に対して引っ張る方向の位置に移動させる）ことで、人差し指の大きさに関わらず、ベルトの始端近傍の部位が人差し指の親指側の側面と接触し、なお且つ、ベルトの始端と手甲パッドの第１開口部との間に位置するベルトの部位によって、人差し指及びその周辺の掌の部位を平裏部に押し付ける力が生じることになる。したがい、人差し指及びその周辺の掌の部位を主として十分なフィット性を得ることが可能である。また、第１開口部から第２開口部までの間において、ベルトが手甲パッドの内部に挿通するので、ベルトの終端位置を調整することで、ベルトが手甲パッドを前面側に押し付けることになる。このため、手甲パッドが手の甲に押し付けられる力が高まり、より一層十分なフィット性を得ることが可能である。
さらに、捕球具本体の背面部の親指袋側部位と、手甲パッドの親指袋側部位とが互いに分離しているため、ベルトの終端位置を調整する（例えば、始端に対して引っ張る方向の位置に移動させる）ことでフィット性を高めた状態であっても、捕球具本体を閉じ易い（捕球面部側へ屈曲させ易い）という利点が得られる。
【００１９】
なお、本発明の第２手段の手甲パッドは捕球具本体の背面部に設けられており、手甲パッドの親指袋側部位と背面部の親指袋側部位とが分離しているが、これには、手甲パッドの小指袋側部位と背面部の小指袋側部位とが分離していて、これらの部位がベルト等によって連結されている形態と、手甲パッドの小指袋側部位と背面部の小指袋側部位とが一体的に設けられている（手甲パッドの小指袋側部位と背面部の小指袋側部位とが分離していない同一の部材から形成されている）形態との双方を含む。
また、本発明の第２手段における「捕球具本体の人指し指袋の親指袋側の側面に沿って前記捕球具本体の手挿入口側に延びる仮想直線の近傍に位置」するの意味は、第１手段における意味と同じである。
【００２０】
本発明の第２手段に係る捕球具において、好ましくは、前記ベルトは、前記ベルトの始端から前記手甲パッドの親指袋側部位の親指袋側の側縁に至るまでの間の部分に、前記第１開口部及び前記第２開口部に挿通する前記ベルトの部位の幅よりも幅の広い幅広部を有する。
【００２１】
上記の好ましい構成によれば、ベルトの始端から手甲パッドの親指袋側部位の親指袋側の側縁に至るまでの間の部分にベルトが幅の広い幅広部を有するため、このベルトの幅広部が人差し指と接触することで、人差し指及びその周辺の掌の部位を平裏部に押し付ける力を高めることができると共に、第１開口部及び第２開口部に挿通するベルトの部位の幅が狭いため、ベルトと手甲パッドとの摩擦が低減され、ベルトの終端位置を調整し易くなるという利点を有する。
【００２２】
本発明の第１手段及び第２手段に係る捕球具において、好ましくは、前記ベルトは、表面及び該表面よりも摩擦係数の大きな裏面を有する革製のベルト部材同士が、各ベルト部材の裏面が対向するように積層されて形成されている。
【００２３】
上記の好ましい構成によれば、ベルトの表裏面の双方を革製のベルト部材の表面にすることができ、摩擦抵抗が小さくなって、スムーズにベルトの終端位置を調整する（例えば、始端に対して引っ張る方向の位置に移動させる）ことが可能である。
なお、上記の好ましい構成における「各ベルト部材の裏面が対向するように積層」とは、革製のベルト部材の裏面同士が直接貼り合わせられている場合に限るものではなく、例えば、各ベルト部材の間にポリウレタンシートなどの補強材を介挿する場合も含む。
【００２４】
また、前記課題を解決するため、本発明は、第３手段として、捕球具本体と、前記捕球具本体の背面部に設けられ、手の甲を支持するための手甲パッドとを備え、前記手甲パッドは、手甲パッド本体と、該手甲パッド本体の親指袋側部位から延在して先端が前記捕球具本体の平裏部に取り付けられた第１ベルト部と、該手甲パッド本体の小指袋側部位から延在して先端が前記捕球具本体の背面部又は前記手甲パッド本体に取り付けられた第２ベルト部とを具備し、前記捕球具本体の前記背面部の親指袋側部位と前記手甲パッド本体の親指袋側部位とが互いに分離すると共に、前記捕球具本体の前記背面部の小指袋側部位と前記手甲パッド本体の小指袋側部位とが互いに分離しており、前記背面部の小指袋側部位は、貫通孔を具備し、前記第１ベルト部の先端は、背面視において、前記捕球具本体の人指し指袋の親指袋側の側面に沿って前記捕球具本体の手挿入口側に延びる仮想直線の近傍に位置し、前記第２ベルト部が前面側から背面側に向けて前記貫通孔に貫通した状態で、前記第２ベルト部の先端が前記捕球具本体の背面部又は前記手甲パッド本体に位置調整可能に取り付けられている、ことを特徴とする捕球具を提供する。
【００２５】
本発明の第３手段に係る捕球具も、第１手段及び第２手段に係る捕球具のベルトの始端と同様に、第１ベルト部の先端が捕球具本体の平裏部に取り付けられ、この第１ベルト部の先端は、背面視において、捕球具本体の人差し指袋の親指袋側の側面に沿って捕球具本体の手挿入口側に延びる仮想直線の近傍に位置する。このため、捕球具本体の手挿入口から手を挿入した際、第１ベルト部の先端近傍の部位が人差し指の親指側の側面と接触し易くなる。
また、第２ベルト部の先端位置を調整する（例えば、第１ベルト部の先端に対して引っ張る方向の位置に移動させる）ことで、手甲パッド本体及び第１ベルト部の基端（手甲パッド本体側の端部）の位置も調整され（例えば、引っ張られ）、人差し指の大きさに関わらず、第１ベルト部の先端近傍の部位が人差し指の親指側の側面と接触し、なお且つ、第１ベルトによって、人差し指及びその周辺の掌の部位を平裏部に押し付ける力が生じることになる。したがい、人差し指及びその周辺の掌の部位を主として十分なフィット性を得ることが可能である。また、第２ベルト部の先端位置を調整することで、手甲パッド本体の位置が調整されるため、手甲パッド本体が手の甲に押し付けられる力が高まり、より一層十分なフィット性を得ることが可能である。
さらに、捕球具本体の背面部の親指袋側部位と手甲パッドの親指袋側部位とが互いに分離すると共に、捕球具本体の背面部の小指袋側部位と手甲パッドの小指袋側部位とが互いに分離しているため、第２ベルト部の先端位置を調整する（例えば、第１ベルト部の先端に対して引っ張る方向の位置に移動させる）ことでフィット性を高めた状態であっても、捕球具本体を閉じ易い（捕球面部側へ屈曲させ易い）という利点が得られる。
【００２６】
なお、第１ベルト部及び第２ベルト部は、それぞれ手甲パッド本体から延在しているが、これには、第１ベルト部、第２ベルト部及び手甲パッド本体が初めから分離していない同一の部材から形成されている形態と、第１ベルト部及び第２ベルト部のうちの少なくとも一方が、縫合等によって手甲パッド本体に取り付けられている形態との双方を含む。
また、本発明の第３手段における「捕球具本体の人指し指袋の親指袋側の側面に沿って前記捕球具本体の手挿入口側に延びる仮想直線の近傍に位置」するの意味は、第１手段及び第２手段における意味と同じである。
【００２７】
本発明の第３手段に係る捕球具において、好ましくは、前記第１ベルト部は、前記貫通孔に貫通する前記第２ベルト部の部位の幅よりも幅の広い幅広部を有する。
【００２８】
上記の好ましい構成によれば、第１ベルト部が幅の広い幅広部を有するため、この第１ベルト部の幅広部が人差し指と接触することで、人差し指及びその周辺の掌の部位を平裏部に押し付ける力を高めることができると共に、貫通孔に貫通する第２ベルト部の部位の幅が狭いため、第２ベルト部と捕球具本体の背面部の小指袋側部位との摩擦が低減され、第２ベルト部の先端位置を調整し易くなるという利点を有する。
【００２９】
本発明の第３手段に係る捕球具において、好ましくは、前記第２ベルト部は、表面及び該表面よりも摩擦係数の大きな裏面を有する革製のベルト部材同士が、各ベルト部材の裏面が対向するように積層されて形成されている。
【００３０】
上記の好ましい構成によれば、第２ベルト部の表裏面の双方を革製のベルト部材の表面にすることができ、摩擦抵抗が小さくなって、スムーズに第２ベルト部の先端位置を調整する（例えば、第１ベルト部の先端に対して引っ張る方向の位置に移動させる）ことが可能である。
なお、上記の好ましい構成における「各ベルト部材の裏面が対向するように積層」とは、革製のベルト部材の裏面同士が直接貼り合わせられている場合に限るものではなく、例えば、各ベルト部材の間にポリウレタンシートなどの補強材を介挿する場合も含む。
【００３１】
本発明の第１手段〜第３手段に係る捕球具において、好ましくは、前記捕球具本体の前記親指袋の根元側に設けられ、親指を固定するための帯状の親指掛けを更に備え、前記親指掛けは、始端が前記平裏部に取り付けられ、終端側の部位が前記平裏部を往復貫通している。
【００３２】
上記の好ましい構成によれば、親指掛けの始端が平裏部に取り付けられ、終端側の部位が平裏部を往復貫通している（平裏部の背面側から前面側に向けて貫通した後、前面側から背面側に貫通している）ため、親指掛けの終端位置を調整する（例えば、始端に対して引っ張る方向の位置に移動させる）ことで、始端と最初の貫通位置との間に位置する親指掛けの部位によって、親指を平裏部に確実に押し付けることが可能である。
【発明の効果】
【００３３】
本発明に係る捕球具によれば、十分なフィット性を得ることが可能である。
【図面の簡単な説明】
【００３４】
【図１】本発明の第１実施形態に係る捕球具を示す図である。
【図２】本発明の第１実施形態に係る捕球具が備える捕球具本体の背面部及び手甲パッドの小指袋側部位近傍の図である。
【図３】本発明の第１実施形態に係る捕球具が備えるベルトの構造を示す図である。
【図４】本発明の第１実施形態に係る捕球具が備える親指掛けを示す図である。
【図５】本発明の第２実施形態に係る捕球具を示す図である。
【図６】本発明の第３実施形態に係る捕球具が備える手甲パッドを捕球具本体から取り外した状態で模式的に示す図である。
【発明を実施するための形態】
【００３５】
以下、添付図面を適宜参照しつつ、本発明の実施形態に係る捕球具について説明する。本実施形態では、捕球具が野球用のグラブである場合を例に挙げて説明する。
【００３６】
＜第１実施形態＞
図１は、本発明の第１実施形態に係る捕球具（野球用グラブ）を示す図である。図１（ａ）は背面視で表わした全体構成図であり、図１（ｂ）は手挿入口側から見たベルトの始端近傍の図であり、図１（ｃ）は図１（ｂ）の矢符Ｘ１の方向から見たベルトの始端近傍の図である。図２は、本発明の第１実施形態に係る捕球具が備える捕球具本体の背面部及び手甲パッドの小指袋側部位近傍の図である。図２（ａ）は背面部及び手甲パッドの小指袋側部位近傍の図であり、図２（ｂ）は手甲パッドが具備する第２開口部近傍を模式的に示す図である。図２（ｂ）では、捕球具本体の背面部の小指袋側部位が具備する第２貫通孔の図示は省略している。
図１に示すように、第１実施形態に係る捕球具１００は、捕球具本体１と、手甲パッド２と、ベルト３とを備える。
【００３７】
捕球具本体１は、ボールが接触する捕球面部（図１及び図２には図示せず）、捕球面部よりも手の甲側に配置され、掌が接触する平裏部１２、平裏部１２よりも手の甲側に配置された背面部１１、平裏部１２と背面部１１との間に形成された指袋（親指袋、人差し指袋１３、中指袋、薬指袋、小指袋）、及び背面部１１と平裏部１２とで区画される手挿入口１４を具備する。
【００３８】
手甲パッド２は、捕球具本体１の背面部１１に設けられ、手の甲を支持するための部材である。図２に示すように、第１実施形態の手甲パッド２は、好ましい構成として、その小指袋側（背面視において左側）部位２４が捕球具本体１の背面部１１の小指袋側部位１１１と分離している。具体的には、手甲パッド２の小指袋側部位２４が捕球具本体１の背面部１１の小指袋側部位１１１よりも前面側（捕球面部に近い側）に位置するように両者は分離して配置されている。一方、図１（ａ）に示すように、手甲パッド２の親指側（背面視において右側）部位は、捕球具本体１の背面部１１の親指側部位と一体的に設けられている。ただし、本発明はこれに限るものではなく、手甲パッド２の全体が捕球具本体１の背面部１１と一体的に設けられている構成を採用することも可能である。
【００３９】
手甲パッド２は、背面視において、ベルト３の始端３１の位置よりも捕球具本体１１の小指袋側に位置する箇所に形成された第１貫通孔２１を具備する。第１貫通孔２１の形状はスリット状であり、その長さが第１貫通孔２１に貫通するベルト３の部位の幅よりも若干大きく形成され、その幅が第１貫通孔２１に貫通するベルト３の部位の厚みよりも若干大きくされている。
【００４０】
また、第１実施形態の手甲パッド２は、好ましい構成として、背面視において、第１貫通孔２１の位置よりも小指袋側に位置する箇所に形成された第１開口部２２と、第１開口部２２の位置よりも小指袋側に位置する箇所（小指袋側部位２４）に形成された第２開口部２３（図２（ｂ）参照）とを更に具備する。第１実施形態の第１開口部２２及び第２開口部２３は、手甲パッド２の背面側の表面に形成されており、それらの形状はスリット状である。第１開口部２２及び第２開口部２３の長さは、それぞれ第１開口部２２及び第２開口部２３に挿通するベルト３の部位の幅よりも若干大きく形成され、第１開口部２２及び第２開口部２３の幅は、それぞれ第１開口部２２及び第２開口部２３に挿通するベルト３の部位の厚みよりも若干大きく形成されている。また、少なくとも、第１開口部２２と第２開口部２３との間において、手甲パッド２の内部には、ベルト３が挿通可能な空洞が形成されている。
【００４１】
さらに、第１実施形態の手甲パッド２は、好ましい構成として、背面視において、第１貫通孔２１の位置よりも（これに加えて、第１開口部２２及び第２開口部２３の位置よりも）手挿入口１４側に位置する箇所に形成された第３開口部２５及び第４開口部２６を更に具備する。第４開口部２６は、背面視において、第３開口部２５の位置よりも親指袋側に位置する箇所に形成されている。第１実施形態の第３開口部２５及び第４開口部２６も、第１開口部２２及び第２開口部２３と同様に、手甲パッド２の背面側の表面に形成されており、それらの形状はスリット状である。第３開口部２５及び第４開口部２６の長さは、それぞれ第３開口部２５及び第４開口部２６に挿通するベルト３の部位の幅よりも若干大きく形成され、第３開口部２５及び第４開口部２６の幅は、それぞれ第３開口部２５及び第４開口部２６に挿通するベルト３の部位の厚みよりも若干大きく形成されている。また、少なくとも、第３開口部２５と第４開口部２６との間において、手甲パッド２の内部には、ベルト３が挿通可能な空洞が形成されている。
【００４２】
ベルト３は、その始端３１が捕球具本体１の平裏部１２に取り付けられている。第１実施形態では、ベルト３の始端３１は、平裏部１２に縫合されている。一方、ベルト３は、その終端３２が捕球具本体１の背面部１１又は手甲パッド２に取り付けられている。第１実施形態では、ベルト３の終端３２は、捕球具本体１の背面部１１の親指側部位に連結された留め具（フランス環）５に取り付けられることで、間接的に背面部１１に取り付けられている。留め具５の位置を調整することで、ベルト３の終端３２の位置も調整可能である。なお、第１実施形態では、フランス環５を用いてベルト３の終端３２が位置調整可能に取り付けられているが、本発明はこれに限るものではなく、Ｄ環、フック、ボタンなどの留め具の他、面ファスナーを用いるなど、位置調整可能である限りにおいて、種々の形態で取り付けることが可能である。
【００４３】
図１（ａ）に示すように、ベルト３の始端３１は、背面視において、捕球具本体１の人指し指袋１３の親指袋側の側面に沿って捕球具本体１の手挿入口１４側に延びる仮想直線Ｌの近傍に位置する。ここで、「仮想直線Ｌの近傍」とは、仮想直線Ｌ上の位置から人差し指袋１３の幅Ｗの１／２の寸法だけ小指袋側にズレた位置から、仮想直線Ｌ上の位置から人差し指袋１３の幅Ｗの１／２の寸法だけ親指袋側にズレた位置までの範囲のことを意味する。この範囲にベルト３の始端３１が位置すればよい。
なお、仮想直線Ｌの近傍のうち、仮想直線Ｌ上の位置から小指袋側にＷの１／２の寸法だけズレた位置までの範囲に始点３１を位置させておけば、ベルト３が人差し指の下に回り込むことなく、人差し指の付け根付近の親指側側面にベルト３が接触し易くなる。これにより、ベルト３の終端位置を調整した（ベルト３を締めた）際に、掌をより確実に平裏部に押し付ける方向に力が働き、フィット性の向上を図ることができる。よって、仮想直線Ｌ上の位置から小指袋側にＷの１／２の寸法だけズレた位置までの範囲にベルト３の始点３１が位置していることが好ましい。
【００４４】
図１（ｃ）に示すように、第１実施形態のベルト３は、ベルト３の始端３１から第１貫通孔２１に至るまでの間の部分において、幅Ｗ１が第１貫通孔２１に貫通するベルト３の部位の幅Ｗ２よりも広い幅広部を有する。この幅広部は手を手挿入口１４から捕球具１００に挿入した状態において、人指し指の付け根付近の親指側側面が接触する部分であり、その幅が広くなっていることによって、幅が細いものに比べて、肌あたり（着用感）が良くなる。また、手又は人差し指に接触するベルトの面積が大きくなり、手の親指側への位置ズレをより抑えることができフィット性が向上する。なお、第１実施形態では、幅広部以外のベルト３の部位の幅は、いずれもＷ２と同等とされている。
【００４５】
捕球具本体１の背面部１１の小指袋側部位１１１は、第２貫通孔１１２を具備する。第２貫通孔１１２の形状はスリット状であり、その長さが第２貫通孔１１２に貫通するベルト３の部位の幅よりも若干大きく形成され、その幅が第２貫通孔１１２に貫通するベルト３の部位の厚みよりも若干大きく形成されている。背面視において、第２貫通孔１１２の位置は、手甲パッド２が具備する第２開口部２３の位置と略同一であり、第２貫通孔１１２の方が、第２開口部２３よりも背面側に配置されている。
第１実施形態のベルト３は、始端３１側から順に、前面側から背面側に向けて第１貫通孔２１に貫通し、背面側から第１開口部２２を介して手甲パッド２の内部に挿通し、手甲パッド２の内部から外部（背面側）に向けて第２開口部２３に挿通し、前面側から背面側に向けて第２貫通孔１１２に貫通して親指袋側に折り返し、背面側から第３開口部２５を介して手甲パッド２の内部に挿通し、なお且つ手甲パッド２の内部から外部（背面側）に向けて第４開口部２６に挿通する状態で、終端３２が留め具５に取り付けられている。
【００４６】
以上に説明した構成を有する第１実施形態に係る捕球具１００によれば、ベルト３の始端３１が、背面視において、捕球具本体１の人差し指袋１３の親指袋側の側面に沿って手挿入口１４側に延びる仮想直線Ｌの近傍に位置する。このため、手挿入口１４から手を挿入した際、ベルト３の始端３１近傍の幅Ｗ１の部位が人差し指の親指側の側面と接触し易くなる。そして、ベルト３が貫通する第１貫通孔２１が、ベルト３の始端３１の位置よりも捕球具本体１の小指袋側に位置する箇所に形成されているため、留め具５の位置を調整してベルト３の終端３２の位置を調整する（例えば、始端３１に対して引っ張る方向の位置に移動させる）ことで、人差し指の大きさに関わらず、ベルト３の始端３１近傍の部位が人差し指の親指側の側面と接触し、なお且つ、ベルト３の始端３１と手甲パッド２の第１貫通孔２１との間に位置するベルト３の部位によって、人差し指及びその周辺の掌の部位を平裏部１２に押し付ける力が生じることになる。したがい、人差し指及びその周辺の掌の部位について十分なフィット性を得ることが可能である。
【００４７】
また、第１開口部２２から第２開口部２３までの間と、第３開口部２５から第４開口部２６との間とにおいて、ベルト３が手甲パッド２の内部に挿通するので、ベルト３の終端３２の位置を調整することで、ベルト３が手甲パッド２を前面側に押し付けることになる。同様に、第１貫通孔２１から第１開口部２２までの間と、第２貫通孔１１２から第３開口部２５までの間とにおいて、ベルト３が手甲パッド２の背面側に位置するので、ベルト３の終端３２の位置を調整することで、ベルト３が手甲パッド２を前面側に押し付けることになる。このため、手甲パッド２が手の甲に押し付けられる力が高まり、より一層十分なフィット性を得ることが可能である。
【００４８】
さらに、捕球具本体１の背面部１１の小指袋側部位１１１と、手甲パッド２の小指袋側部位２４とが互いに分離しているため、ベルト３の終端３２の位置を調整することでフィット性を高めた状態であっても、捕球具本体１を閉じ易い（捕球面部側へ屈曲させ易い）という利点が得られる。また、捕球具本体１の背面部１１の小指袋側部位１１１と手甲パッド２の小指袋側部位２４とが、ベルト３によって連結されるため、両部位１１１、２４が過度に離れるおそれもない。
【００４９】
なお、図３（ａ）に示すように、第１実施形態のベルト３は、好ましい構成として、一対の革製のベルト部材３ａ、３ｂを具備する。そして、一対のベルト部材３ａ、３ｂは、互いの裏面（図３（ｂ）参照）同士が対向するように積層されている。具体的には、第１実施形態のベルト３は、ベルト部材３ａ、３ｂの間にポリウレタンシートなどの補強材３ｃが介挿された構成である。これらのベルト部材３ａ、３ｂは、裏面の摩擦係数が表面の摩擦係数よりも大きい。
上記の構成を有する第１実施形態のベルト３は、表裏面の双方が摩擦係数の小さな革の表面になるため、摩擦抵抗が小さくなって、スムーズにベルト３の終端３２の位置を調整することが可能である。このようなベルト部材３ａ、３ｂとしては、天然皮革、人工皮革などを使用することができる。その他、ベルト３の素材としては、天然繊維、化学繊維、ゴムなどを使用することもできる。
【００５０】
また、第１実施形態に係る捕球具１００は、好ましい構成として、親指掛けを備える。
図４は、親指掛けを示す図である。図４（ａ）は手挿入口側から見た親指掛け近傍の図であり、図４（ｂ）は図４（ａ）の矢符Ｘ２の方向から見た親指掛け近傍の模式断面図である。また、図４（ｃ）は比較例として従来の親指掛けを示す図であり、図４（ｂ）と同じ方向から見たときの模式断面図である。
図４に示すように、親指掛け４は、捕球具本体１の親指袋の根元側に設けられ、親指を固定するための帯状の部材である。親指掛け４は、その始端４１が平裏部１２に取り付けられている。第１実施形態では、親指掛け４の始端４１は、平裏部１２に縫合されている。一方、親指掛け４の終端４２側の部位が平裏部１２を往復貫通している。具体的には、平裏部１２の親指袋の根元側に位置する部位には、親指掛け４の始端４１の位置よりも手挿入口１４側の位置に一対の貫通孔１２１、１２２が形成されている。そして、親指掛け４の終端４２側の部位が、始端４１側から順に、背面側（図４（ｂ）の上側）から前面側（図４（ｂ）の下側）に向けて貫通孔１２１に貫通し、平裏部１２と捕球面部１５との間に挿通し、前面側から背面側に向けて貫通孔１２２に貫通した後、捕球具本体１の背面部１１に形成された貫通孔１１３に貫通して、親指掛け４の終端４２が背面部１１の外部に露出している。
【００５１】
上記の好ましい構成によれば、親指Ｔを平裏部１２の方向により確実に押し付けることが可能である。このように、親指Ｔを平裏部１２の方向に押し付けることができる理由を従来の親指掛けである図４（ｃ）の比較例と対比しつつ、より詳細に説明する。
図４（ｃ）に示す比較例の親指掛け４’は、終端４２側の部位が平裏部１２を通らずに背面部１１に形成された貫通孔１１３に貫通して、終端４２が背面部１１の外部に露出した構造となっている。このような構造からなる比較例の親指掛け４’の終端４２を外側に引っ張った場合、親指Ｔが親指掛け４から受ける力の作用点は親指Ｔの頂点から人差し指側にズレた所に位置し、白抜き矢符で示すように、斜め下方向に向かって力が働きやすくなる。この場合、親指Ｔを平裏部１２の方向（図４（ｃ）の下方向）に押す力は多少働くものの、一方で親指Ｔの外側方向（図４（ｃ）の右方向）にも力が作用することになり、親指Ｔの平裏部１２への押し付けは弱くなる。
一方、図４（ｂ）に示す本実施形態の親指掛け４の場合、平裏部１２をいったん往復貫通させてから背面部１１の外部に終端４２が露出する構造としたことによって、親指Ｔが親指掛け４から受ける力の作用点が親指Ｔの頂点付近に位置するようになり、白抜き矢符で示すように平裏部１２に対して垂直な方向に大きな力が作用すると考えられる。この結果、親指Ｔの平裏部１２への押し付けが強くなり、親指のフィット性が向上することになる。
【００５２】
＜第２実施形態＞
以下、本発明の第２実施形態に係る捕球具について説明する。第２実施形態に係る捕球具の構成要素において、第１実施形態に係る捕球具１００の構成要素と同様の機能を果たす構成要素には同一の符号を付して、重複する説明を適宜省略し、主として第１実施形態と異なる部分について説明する。
【００５３】
図５は、本発明の第２実施形態に係る捕球具を示す図である。図５（ａ）は背面視で表わした全体構成図であり、図５（ｂ）は背面部及び手甲パッドの小指袋側部位近傍の図である。
図５に示すように、第２実施形態に係る捕球具１００Ａも、第１実施形態と同様に、捕球具本体１と、手甲パッド２Ａと、ベルト３とを備える。
【００５４】
手甲パッド２Ａは、捕球具本体１の背面部１１に設けられ、手の甲を支持するための部材である。図５に示すように、第２実施形態の手甲パッド２Ａは、その親指袋側（背面視において右側）部位２７が捕球具本体１の背面部１１の親指袋側部位１１４と分離している。具体的には、手甲パッド２Ａの親指袋側部位２７が捕球具本体１の背面部１１の親指袋側部位１１４よりも前面側（捕球面部に近い側）に位置するように両者は分離して配置されている。また、第２実施形態の手甲パッド２Ａは、好ましい構成として、その小指袋側（背面視において左側）部位２４も捕球具本体１の背面部１１の小指袋側部位１１１と分離している。具体的には、手甲パッド２Ａの小指袋側部位２４が捕球具本体１の背面部１１の小指袋側部位１１１よりも前面側に位置するように両者は分離して配置されている。ただし、本発明はこれに限るものではなく、手甲パッド２の小指袋側部位２４が捕球具本体１の背面部１１の小指袋側部位１１１と一体的に設けられている構成を採用することも可能である。
【００５５】
手甲パッド２は、背面視において、ベルト３の始端３１の位置よりも捕球具本体１１の小指袋側に位置する箇所に形成されたスリット状の第１開口部２２と、第１開口部２２の位置よりも小指袋側に位置する箇所（小指袋側部位２４）に形成されたスリット状の第２開口部２３とを具備する。第２実施形態の第１開口部２２は、手甲パッド２の背面側の表面に形成されている。一方、第２実施形態の第２開口部２３は、手甲パッド２の小指袋側部位２４の小指袋側の側縁に形成されている。少なくとも、第１開口部２２と第２開口部２３との間において、手甲パッド２の内部には、ベルト３が挿通可能な空洞が形成されている。
【００５６】
また、第２実施形態の手甲パッド２Ａは、好ましい構成として、背面視において、第１開口部２２の位置よりも手挿入口１４側に位置する箇所に形成されたスリット状の第３開口部２５及びスリット状の第４開口部２６を更に具備する。第４開口部２６は、背面視において、第３開口部２５の位置よりも親指袋側に位置する箇所に形成されている。少なくとも、第３開口部２５と第４開口部２６との間において、手甲パッド２Ａの内部には、ベルト３が挿通可能な空洞が形成されている。
【００５７】
ベルト３は、第１実施形態と同様に、その始端３１が捕球具本体１の平裏部１２に縫合されて取り付けられている。一方、ベルト３は、その終端３２が捕球具本体１の背面部１１又は手甲パッド２Ａに取り付けられている。第２実施形態では、ベルト３の終端３２は、捕球具本体１の背面部１１の親指側部位１１４に連結された留め具（Ｄ環）５に取り付けられることで、間接的に背面部１１に取り付けられている。留め具５の位置を調整することで、ベルト３の終端３２の位置も調整可能である。
【００５８】
第１実施形態と同様に、ベルト３の始端３１は、背面視において、捕球具本体１の人指し指袋１３の親指袋側の側面に沿って捕球具本体１の手挿入口１４側に延びる仮想直線の近傍に位置する。
また、第１実施形態と同様に、ベルト３は、ベルト３の始端３１から手甲パッド２Ａの親指袋側部位２７の親指袋側の側縁に至るまでの間の部分において、第１開口部２２及び第２開口部２３に挿通するベルト３の部位の幅よりも幅の広い幅広部を有することが好ましい。
さらに、第１実施形態と同様に、第２実施形態のベルト３も、好ましい構成として、一対の革製のベルト部材を具備し、一対のベルト部材は、互いの裏面同士が対向するように積層されている。
【００５９】
第２実施形態の捕球具本体１の背面部１１の小指袋側部位１１１は、スリット状の貫通孔１１２を具備する。
第２実施形態のベルト３は、始端３１側から順に、手甲パッド２Ａの親指袋側部位２７の親指袋側の側縁を前面側から背面側に向けて迂回し、背面側から第１開口部２２を介して手甲パッド２Ａの内部に挿通し、手甲パッド２Ａの内部から外部に向けて第２開口部２３に挿通し、前面側から背面側に向けて貫通孔１１２に貫通して親指袋側に折り返し、背面側から第３開口部２５を介して手甲パッド２Ａの内部に挿通し、なお且つ手甲パッド２Ａの内部から外部（背面側）に向けて第４開口部２６に挿通する状態で、終端３２が留め具５に取り付けられている。
【００６０】
なお、第２実施形態に係る捕球具１００Ａも、好ましい構成として、親指掛け（図示せず）を備えている。
【００６１】
以上に説明した構成を有する第２実施形態に係る捕球具１００Ａによっても、第１実施形態と同様に、十分なフィット性を得ることや、捕球具本体１を閉じ易い等の作用効果を奏する。
【００６２】
＜第３実施形態＞
以下、本発明の第３実施形態に係る捕球具について説明する。第３実施形態に係る捕球具は、第２実施形態に係る捕球具１００Ａの手甲パッド２Ａとベルト３とがいわば一体化された手甲パッドを備える点で第２実施形態と異なり、その他の構成については第２実施形態と同じである。このため、以下では、第２実施形態に係る捕球具１００Ａの構成要素と同様の機能を果たす構成要素には同一の符号を付して、重複する説明及び図示を適宜省略し、主として第２実施形態と異なる手甲パッドの構成について説明する。
【００６３】
図６は、本発明の第３実施形態に係る捕球具が備える手甲パッドを捕球具本体から取り外した状態で模式的に示す図である。
図６に示すように、第３実施形態の手甲パッド２Ｂは、手甲パッド本体６と、手甲パッド本体６の親指袋側部位６１から延在して先端７ａが捕球具本体１の平裏部１２（図５参照）に取り付けられる第１ベルト部７と、手甲パッド本体６の小指袋側部位６２から延在して先端８ａが捕球具本体１の背面部１１（図５参照）又は手甲パッド本体６に取り付けられる第２ベルト部８とを具備する。
図６に示す例では、第１ベルト部７、第２ベルト部８及び手甲パッド本体６が初めから分離していない同一の部材から形成されているが、本発明はこれに限るものではなく、第１ベルト部７及び第２ベルト部８のうちの少なくとも一方が、縫合等によって手甲パッド本体６に取り付けられている形態であってもよい。
【００６４】
手甲パッド２Ｂは、捕球具本体１に取り付けた際、第２実施形態と同様に、手甲パッド本体６の親指袋側部位６１が捕球具本体１の背面部１１の親指袋側部位１１４（図５参照）と分離している。また、第２実施形態と同様に、手甲パッド本体６の小指袋側部位６２も捕球具本体１の背面部１１の小指袋側部位１１１（図５参照）と分離している。捕球具本体１の背面部１１の小指袋側部位１１１は、第２実施形態と同様にスリット状の貫通孔１１２（図５参照）を具備する。
【００６５】
第３実施形態の手甲パッド２Ｂは、第２実施形態と異なり、第１開口部２２及び第２開口部２３（図５参照）を具備しない。ただし、第３実施形態の手甲パッド２Ｂは、好ましい構成として、第２実施形態と同様のスリット状の第３開口部２５及びスリット状の第４開口部２６を具備する。少なくとも、第３開口部２５と第４開口部２６との間において、手甲パッド２Ｂの内部には、第２ベルト部８が挿通可能な空洞が形成されている。
【００６６】
第１ベルト部７は、第２実施形態と同様に、その先端７ａが捕球具本体１の平裏部１２に縫合されて取り付けられる。第２実施形態と同様に、第１ベルト部７の先端７ａは、背面視において、捕球具本体１の人指し指袋１３（図５参照）の親指袋側の側面に沿って捕球具本体１の手挿入口１４（図５参照）側に延びる仮想直線の近傍に位置する。一方、第２ベルト部８は、第２実施形態と同様に、その先端８ａが、捕球具本体１の背面部１１の親指側部位１１４に連結された留め具（Ｄ環）５に取り付けられることで、間接的に背面部１１に取り付けられる。留め具５の位置を調整することで、第２ベルト部８の先端８ａの位置も調整可能である。
また、第２実施形態と同様に、第１ベルト部７が、貫通孔１１２に貫通する第２ベルト部８の部位の幅や、第３開口部２５及び第４開口部２６に挿通する第２ベルト部８の部位の幅よりも幅の広い幅広部を有することが好ましい。
さらに、第２実施形態と同様に、第２ベルト部８も、好ましい構成として、一対の革製のベルト部材を具備し、一対のベルト部材は、互いの裏面同士が対向するように積層されている。
【００６７】
第３実施形態に係る捕球具において、第２ベルト部８は、基端（手甲パッド本体６側の端部）側から順に、前面側から背面側に向けて貫通孔１１２に貫通して親指袋側に折り返し、背面側から第３開口部２５を介して手甲パッド本体６の内部に挿通し、なお且つ手甲パッド本体６の内部から外部（背面側）に向けて第４開口部２６に挿通する状態で、先端８ａが留め具５に取り付けられている。
【００６８】
なお、第３実施形態に係る捕球具も、好ましい構成として、親指掛け（図示せず）を備えている。
【００６９】
以上に説明した構成を有する第３実施形態に係る捕球具によっても、第１実施形態や第２実施形態と同様に、十分なフィット性を得ることや、捕球具本体１を閉じ易い等の作用効果を奏する。
【００７０】
なお、上述の各実施形態では、捕球具として野球用のグラブを例に挙げて説明したが、本発明はこれに限るものではなく、ソフトボール用のグラブなど、捕球動作を伴う他のスポーツ用の捕球具にも適用可能である。
【符号の説明】
【００７１】
１・・・捕球具本体
２・・・手甲パッド
３・・・ベルト
１１・・・背面部
１２・・・平裏部
１３・・・人差し指袋
１４・・・手挿入口
２１・・・第１貫通孔
２２・・・第１開口部
２３・・・第２開口部
３１・・・ベルトの始端
３２・・・ベルトの終端
５・・・留め具
１００・・・捕球具
Ｌ・・・仮想直線
【図１】
2018089218.tif 000003
【図２】
2018089218.tif 000004
【図３】
2018089218.tif 000005
【図４】
2018089218.tif 000006
【図５】
2018089218.tif 000007
【図６】
2018089218.tif 000008